(57)【特許請求の範囲】
【請求項１】
雨水を受けるための受水口と、
この受水口から連結管を介して雨水を貯留するタンクと、
上記受水口からの雨水が連結管を介して流入すると共に、上記タンクからの貯留水も流入し、上記受水口側からの水圧で開き、上記タンク側からの満水時の水圧が受水口側からの水圧よりも高くなったとき閉じる弁体を有する弁部と、
この弁部の弁体が閉じられたとき、上記受水口から流入する雨水を外部へ排出する排出管と、を含んでなる撮影窓ウォッシャー用タンク装置。
【請求項２】
上記受水口に、雨水ろ過用のフィルタを設けたことを特徴とする上記第１請求項記載の撮影窓ウォッシャー用タンク装置。
【発明の詳細な説明】
【０００１】
【発明の属する技術分野】
本発明は、特に遠隔操作されるテレビカメラの撮影窓を洗浄するウォッシャー装置に用いられ、洗浄水を貯留するタンク装置の構造に関する。
【０００２】
【従来の技術】
ビル屋上、鉄塔等に設置される監視カメラ等のテレビカメラは、雲台に支持され、離れた場所の監視室等で遠隔操作される。このテレビカメラは、例えばパン（左右方向）、チルト（上下方向）等へ動かされ、これによって捉えられた領域の映像をモニタ等へ表示することができる。また、このテレビカメラの撮影窓（ガラス）には、ワイパーが設けられると共に、ウォッシャー装置の洗浄水ノズルが配置され、この洗浄ノズルから洗浄水を撮影窓へ噴き付けて洗浄ができるようになっている。
【０００３】
即ち、このウォッシャー装置として、供給ポンプ及びタンクを備えたタンク装置がテレビカメラの近傍に配置されており、タンク内の洗浄水をポンプにより洗浄ノズルまで供給することにより、この洗浄ノズルから撮影窓へ向けて洗浄水を噴射することができる。
【０００４】
【発明が解決しようとする課題】
しかし、上記従来の撮影窓ウォッシャー用のタンク装置では、所定容量のタンク内に入れてある洗浄水がなくなれば、洗浄水を補充する必要があるが、タンク装置はビル屋上や鉄塔等の危険な場所に配置されていることが多く、洗浄水の補充作業が大変であるという問題があった。
【０００５】
本発明は上記問題点に鑑みてなされたものであり、その目的は、危険な場所等でのタンクへの洗浄水の補充作業が不要となる撮影窓ウォッシャー用タンク装置を提供することにある。
【０００６】
【課題を解決するための手段】
上記目的を達成するために、第１請求項の発明に係る撮影窓ウォッシャー用タンク装置は、雨水を受けるための受水口と、この受水口から連結管を介して雨水を貯留するタンクと、上記受水口からの雨水が連結管を介して流入すると共に、上記タンクからの貯留水も流入し、上記受水口側からの水圧で開き、上記タンク側からの満水時の水圧が受水口側からの水圧よりも高くなったとき閉じる弁体を有する弁部と、この弁部の弁体が閉じられたとき、上記受水口から流入する雨水を外部へ排出する排出管と、を含んでなることを特徴とする。
第２請求項に係る発明は、上記受水口に、雨水ろ過用のフィルタを設けたことを特徴とする。
【０００７】
上記の構成によれば、雨水が受水口から連結管及び弁部を介してタンク内に流入し、タンク内には雨水が洗浄水として貯留される。このタンク内には、固形洗剤等を入れ、これを雨水に溶かして洗剤入りの洗浄水とすることもできる。また、上記受水口に、ろ過用フィルタを設ければ、雨水の中のごみ等を除去し、或いは外部からタンク内へのごみの混入を防止することができる。
【０００８】
更に、上記タンクの入り口に弁部を設けることにより、満水時にタンク内へ流入する雨水を排水管から外部へ排出することができ、満水量を制御することが可能となる。また、タンク内に洗剤が投入されている場合には、弁部の弁体によって入り口が閉まることにより、洗剤が溶けた洗浄水を外部へ排出することがないという利点がある。
【０００９】
【発明の実施の形態】
図１乃至図３には、実施形態例に係る撮影窓ウォッシャー用タンク装置及びテレビカメラを取り付けた雲台装置が示されており、まず図３により全体の構成を説明する。図３において、テレビカメラ１１は雲台１２に取り付けられ、この雲台１２が鉄塔等の載置部１３に固定されており、この雲台１２の２軸のそれぞれの駆動により、テレビカメラ１１はパン動作及びチルト動作をすることになる。
【００１０】
また、上記テレビカメラ１１の前面の撮影窓ガラス１４には、ワイパー１５が配置されると共に、撮影窓ガラス１４の枠部分に噴射ノズル１６が取り付けられており、この噴射ノズル１６は、撮影窓ガラス１４の中心部へ洗浄水を噴射するように位置決めされる。この噴射ノズル１６は、供給パイプ１７を介してタンク装置１８に取り付けられる。一方、監視室等の遠隔地に、リモート操作部２０が設けられ、このリモート操作部２０には、パン、チルトの操作をするジョイスティック２１等と共に、洗浄水スイッチ２２、ワイパースイッチ２３が配置される。
【００１１】
図１には、上記タンク装置１８の詳細な構成が示されており、このタンク装置１８は、上側の受水口２５が連結管２６でタンク２７に接続された構成となっている。上記受水口２５は、タンク装置１８の方形上面の広い領域に設けられており、この受水口２５の上側には薄板状のろ過用フィルタ２８が設けられ、また連結管２６との接続部にも少し厚めのろ過用フィルタ２９が取り付けられる。
【００１２】
また、上記連結管２６に、満水時の水量を制御する弁部３０と外部へ余った雨水を排水する排出管（逃がし管）３１が斜めに取り付けられており、この弁部３０内には、図２に示されるように、連結管２６側からの雨水の水圧が大きいときに開き、タンク２７側からの水圧が高いときに閉じる弁体３２が設けられる。このような弁機構によれば、所定量の満水時に上記弁体３２を閉じて、更に流入する雨水を排出管３１から逃がすことができる。
【００１３】
上記タンク２７内では、吸引パイプ３４が底面付近まで挿入され、この吸引パイプ３４に電動ポンプ３５が接続される。このポンプ３５には、上述した洗浄ノズル１６への供給パイプ１７が接続され、またリモート操作部２０からの制御信号が伝達できるようになっている。なお、上記タンク２７内には固形洗剤３６が投入される（この固形洗剤３６の使用は任意である）。
【００１４】
実施形態例は以上の構成からなり、以下にその作用を説明する。上述した図１のタンク装置１８によれば、雨水が受水口２５で受けられ、この際にろ過用フィルタ２８及び２９でごみ等がろ過される。この２個のろ過用フィルタ２８及び２９によれば、二段階でろ過されるので、タンク２７内へ導入する雨水を非常にきれいにすることができる。また、外部からタンク内へごみが混入することも防止できる。
【００１５】
このようにしてろ過された雨水は連結管２６を通り、弁部３０を介してタンク２７内に流れる。この弁部３０の状態が図２（Ａ）に示されており、雨水の水圧で弁体３２が開状態となって、タンク２７内に雨水３７が洗浄水として溜まることになる。そして、雨水３７が図１の満水位置（鎖線）１００まで溜まると、図２（Ｂ）に示されるように、タンク２７側からの水圧が連結管２６側からの水圧よりも大きくなって、弁体３２が閉状態となる。従って、更に連結管２６を流れてくる雨水は、排出管３１を介して外部へ排出される。
【００１６】
上記の弁機構の作用によれば、タンク２７内の雨水３７を満水位置１００に維持できると共に、固形洗剤３６が溶けた洗浄水としての雨水３７を使う前に外部へ漏出させないようにすることができる。
【００１７】
そして、図３のリモート操作部２０の洗浄水スイッチ２２を押すと、ポンプ３５が作動し、上記タンク２７内に溜まった雨水３７の洗浄水が供給パイプ１７を介して噴射ノズル１６へ供給される。従って、このノズル１６から洗浄水が撮影窓ガラス１４へ向けて噴射される。なお、このとき、ワイパースイッチ２３を押してワイパー１５を動作させれば、噴き付けた洗浄水を払拭することができる。
【００１８】
【発明の効果】
以上説明したように、第１請求項に係る発明によれば、雨水を受水口で受けてタンクに貯留し、雨水を洗浄水として利用するようにしたので、タンクへの洗浄水の補充作業自体が不要となり、危険な場所での補充作業も不要となる。
また、弁部により、満水時にタンクの入り口を閉状態として、流入する雨水を外部へ排出するように制御したので、雨水の満水量を所定位置に制御でき、しかもタンク内に洗剤が投入される場合には、洗剤が溶けた洗浄水を外部へ漏出させることがないという利点がある。
【００１９】
第２請求項に係る発明によれば、上記受水口に雨水ろ過用のフィルタを設けたので、雨水の中のごみ等を除去でき、また外部からタンク内へごみが混入することを防止できる。
【図面の簡単な説明】
【図１】本発明の実施形態例に係る撮影窓ウォッシャー用タンク装置の内部構成を示す図である。
【図２】図１の弁機構の構成を示し、図（Ａ）は弁の開状態、図（Ｂ）は弁の閉状態の図である。
【図３】実施形態例のタンク装置及びテレビカメラを取り付けた雲台装置を示す全体図である。
【符号の説明】
１１  …  テレビカメラ、
１４  …  撮影窓ガラス、
１８  …  タンク装置、
２５  …  受水口、
２７  …  タンク、
２８，２９  …  ろ過用フィルタ、
３０  …  弁部、
３１  …  排出管、
３２  …  弁体、
３７  …  雨水。
【図１】
0003621791.tif 000002
【図２】
0003621791.tif 000003
【図３】
0003621791.tif 000004